(57)【要約】【課題】小型でスペースをとらず、設備費用及び運転費用が低廉な排水管洗浄装置を提供する。【解決手段】ディスポーザ5の排水管6に設けたＳトラップ7の上流側上端部から上方へ分岐する誘導管8を設け、誘導管上に水噴射ノズル9を配置する。水噴射ノズルは水道管2から水を供給され、止水栓11を開ければ、排水管内へ水が噴射されて排水管内が洗浄され、Ｓトラップの底部に滞留したごみも排出される。水タンクとポンプとからなる排水管洗浄装置に比較してスペースをとらずコストも低廉である。【選択図】図1
2005087921.tif 000002
【特許請求の範囲】
【請求項１】
排水管から上流側へ向かって分岐する誘導管を設け、誘導管の開口に水噴射ノズルを対向させて配置し、水噴射ノズルと水道管を配水管にて接続するとともに配水管に止水栓を設け、水噴射ノズルから前記排水管内へ水道水を噴射して排水管内を洗浄するように構成した排水管洗浄装置。
【請求項２】
上記水噴射ノズルから噴射される水が排水管の内壁面に沿って流れるように水噴射ノズルの位置及び角度を設定した請求項1記載の排水管洗浄装置。
【請求項３】
上記誘導管を排水管中の排水トラップの上流側鉛直部分の上端へ垂直に取付けた請求項1または2記載の排水管洗浄装置。
【請求項４】
ディスポーザのホッパーの側面下部に誘導管を接続し、誘導管の開口に水噴射ノズルを対向させて配置し、水噴射ノズルと水道管を配水管にて接続するとともに配水管に止水栓を設け、水噴射ノズルからホッパー内へ水道水を噴射してホッパー内及び排水管内を洗浄するように構成した排水管洗浄装置。
【請求項５】
上記止水栓に代えて電磁弁を用い、電磁弁を開閉する制御手段を設けた請求項1, 2, 3または4記載の排水管洗浄装置。
【請求項６】
上記止水栓に代えて電磁弁を用い、ディスポーザの停止後に一定時間電磁弁を開く制御手段を設けた請求項4記載の排水管洗浄装置。
【発明の詳細な説明】
【技術分野】
【０００１】
この発明は、排水管洗浄装置に関するものであり、特に、厨房や洗面所などの排水管洗浄に適した排水管洗浄装置に関するものである。
【背景技術】
【０００２】
生ごみを破砕処理するディスポーザを設置した厨房においては、破砕した生ごみ中の油脂や粘性ごみが汚泥化して排水管内に付着し、悪臭を発生したり排水管が閉塞したりすることがある。このような排水管内の汚れを洗浄するための手段としては以下のような装置が提案されている。
【０００３】
例えば、特許文献１記載の厨芥処理システムは、排水管のSトラップの上流に分岐管を接続し、分岐管へホース等を挿入して排水管内を高圧洗浄したり、分岐管から洗浄液を供給して排水管内を薬液洗浄したりできるように構成している。
【０００４】
また、特許文献2記載の水洗装置は、排水管に分岐管を介して貯留タンク及びポンプを接続し、ポンプにより貯留タンク内の水を排水管へ流して排水管内を洗浄するように構成している。
【特許文献１】特開2001-200564号公報
【特許文献２】特開2002-88858号公報
【発明の開示】
【発明が解決しようとする課題】
【０００５】
排水管に分岐管を接続し、分岐管へホースを挿入して排水管内を高圧洗浄するか、或いは分岐管から洗浄液を供給して排水管内を薬液洗浄する構成においては、その都度ホースをキッチンシンクの下面側の分岐管へ挿入する手間がかかり、日常的に洗浄を行うには不便である。また、洗浄液による洗浄は当然のことながら洗浄液の費用がかかる。
【０００６】
また、排水管に分岐管を介して貯留タンク及びポンプを接続し、ポンプにより貯留タンク内の水を排水管へ流して排水管内を洗浄する水洗装置は、設備費用がかかるとともに貯留タンク及びポンプが広いスペースを占有するという問題がある。
【０００７】
そこで、スペースをとらず設備費用及び運転費用が低廉な排水管洗浄装置を提供するために解決すべき技術的課題が生じてくるのであり、本発明は上記課題を解決することを目的とする。
【課題を解決するための手段】
【０００８】
この発明は、上記目的を達成するために提案するものであり、排水管から上流側へ向かって分岐する誘導管を設け、誘導管の開口に水噴射ノズルを対向させて配置し、水噴射ノズルと水道管を配水管にて接続するとともに配水管に止水栓を設け、水噴射ノズルから排水管内へ水道水を噴射して排水管内を洗浄するように構成した排水管洗浄装置を提供するものである。
【０００９】
また、上記水噴射ノズルから噴射される水が排水管の内壁面に沿って流れるように水噴射ノズルの位置及び角度を設定した排水管洗浄装置を提供するものである。
【００１０】
また、上記誘導管を排水管中の排水トラップの上流側鉛直部分の上端へ垂直に取付けた排水管洗浄装置を提供するものである。排水トラップの上流側から下方の排水トラップへ向けて高圧水を噴射することにより、排水トラップがSトラップ、Pトラップなどのいずれの形式のものであっても、トラップの底部に滞留した汚泥状の汚れや砂、貝殻などを排出することができる。
【００１１】
また、ディスポーザのホッパーの側面下部に誘導管を接続し、誘導管の開口に水噴射ノズルを対向させて配置し、水噴射ノズルと水道管を配水管にて接続するとともに配水管に止水栓を設け、水噴射ノズルからホッパー内へ水道水を噴射してホッパー内及び排水管内を洗浄するように構成した排水管洗浄装置を提供するものである。
【００１２】
また、上記止水栓に代えて電磁弁を用い、電磁弁を開閉する制御手段を設けた排水管洗浄装置、ならびに、ディスポーザの停止後に一定時間電磁弁を開く制御手段を設けた排水管洗浄装置を提供するものである。
【発明の効果】
【００１３】
本発明の配水管洗浄装置は、排水管の近傍に配置した水噴射ノズルから水道水を直接排水管内へ噴射して洗浄する構成であるので、水タンクや噴射ポンプなどが不要であり、設備費用がかからず設置スペースをとることもない。また、高圧化した水を噴射して洗浄するので、洗浄液を用いる必要もなく運転費用もかからない。
【発明を実施するための最良の形態】
【００１４】
この発明は、水タンクや噴射ポンプなどを用いず、排水管の近傍に配置した水噴射ノズルから水道水を直接排水管内へ噴射して洗浄するように構成することにより、省スペース且つ低コストの排水管洗浄装置を提供するという目的を達成した。
【実施例１】
【００１５】
図1は厨房のシンク設備を示し、1はシンク、2は水道管、3は止水栓、4は蛇口である。シンク1の底面排水口には生ごみを破砕処理するディスポーザ5が取付けられていて、ディスポーザ5の下部排出口へ接続した排水管6の途中に、臭気の逆流を防止するSトラップ7が設けられている。排水管6はディスポーザ5の排出口から横方向へ進み、下へ鉛直に屈折してＳトラップ7に接続し、Ｓトラップ7から下へ鉛直に下降した後に横へ屈折して下水本管或いは曝気処理槽へ接続する。
【００１６】
Ｓトラップ7の上流側鉛直部分の上端部には上方へ垂直に起立した誘導管8が接続されており、誘導管8の上方に水噴射ノズル9が配置されている。誘導管8の下部は排水管6内へ入り込んでいて、ディスポーザ5からの排出物や流水が誘導管8を逆流して上方へ噴出することを防いでいる。
【００１７】
水噴射ノズル9は水道管2から分岐したノズル配水管10に接続されており、ノズル配水管10の途中に止水栓11が設けられている。止水栓11を開けば、水噴射ノズル9の細い噴射口の作用により通常の水道の水圧よりも高圧化された水流が水噴射ノズル9から噴射され、誘導管8を通じて排水管6へ流れ込んで排水管6以降の管路内を洗浄する。この水流は、ディスポーザ5から排出される水流よりも高圧で流速もはるかに速いことから、Ｓトラップ7の下側底部に堆積した砂粒や貝殻の破片なども下流へ吹き飛ばされて管内がきれいに洗浄される。
【００１８】
水噴射ノズル9の形式は特に限定するものではなく、直射ジェットノズルやニードルジェットノズルやコーンパターンノズル、或いはノズルボディとノズルヘッドをスイベルジョイントにて接続し、ノズルヘッド先端面の噴射孔をノズル中心から変位した位置に設けて、水噴射時にノズルヘッドが回転することによりジェット水流が円を描いて噴射されるロータリジェットノズルなどの何れでもよい。しかし、排水によって上水道が汚染されることを防ぐために、水道へ接続されている水噴射ノズル9を排水管6から50mm以上離す規制に従う必要があるので、指向角度が狭い噴射パターンのノズルを用いることが望ましい。いずれにしても、水噴射ノズル9から噴射された水が排水管6へ到達したときに排水管6の内壁面へ噴射されるように水噴射ノズル9の位置及び角度を設定することが肝要である。
【実施例２】
【００１９】
図2は、ディスポーザ5内のホッパーの底部を洗浄する実施例を示し、ホッパーの傾斜底板12の上昇側の側面に誘導管8を接続し、誘導管8に接近させて配置した水噴射ノズル9からホッパーの底部内へ水を噴射するように構成している。
【００２０】
ディスポーザ5による生ごみ破砕処理終了後に、水噴射ノズル9の止水栓11を開けば、ディスポーザ5の破砕機構部13とホッパーの傾斜底板12との間の空間へジェット水流が噴射されて、洗浄が困難な閉鎖空間である破砕機構部13下面とホッパーの傾斜底板12及びその周壁面が洗浄され、洗浄水は傾斜底板12上を流れて排水管6へ排出される。
【実施例３】
【００２１】
図3は、洗浄工程を自動化した実施例を示し、ノズル配水管10に手動式止水栓の代わりに電磁弁14を設け、ディスポーザ制御部15により電磁弁14を制御するように構成している。ディスポーザ5の起動スイッチをオン操作するとディスポーザ制御部15はディスポーザ駆動モータ16を一定時間駆動して停止するが、ここでは、ディスポーザ制御部15がモータ停止後に電磁弁14を一定時間（例えば1分間）開いて排水管6を洗浄するように構成することにより、生ごみ破砕処理の後に自動的に排水管洗浄処理が実行される。
【００２２】
以上、幾つかの実施例を説明したが、図1に示すＳトラップ7の上流に水噴射ノズル9を配置した構成と、図2のディスポーザ5の底部側面に水噴射ノズル9を配置した構成とを組み合わせてもよい。また、図示は省略するが、Sトラップ7以降の排水管6の鉛直部分や水平部分に別の水噴射ノズルを配置してもよい。また、上記のように複数の水噴射ノズルを設け、これら複数の水噴射ノズルを図3の電磁弁と制御部からなる制御システムによって制御するように構成してもよい。
【００２３】
尚、ここでは、ディスポーザの排水管を洗浄する構成を説明したが、ディスポーザが設けられていない厨房排水管や、風呂場や洗面所の排水管にも適用することができることは言うまでもない。また、この発明の技術的範囲内においてさらに種々の改変が可能であり、この発明がそれらの改変されたものに及ぶことは当然である。
【図面の簡単な説明】
【００２４】
【図１】本発明の実施形態を示し、ディスポーザの排水管に排水管洗浄装置を適用したシステムの構成図。
【図２】他の実施形態を示し、ディスポーザ本体に排水管洗浄装置を適用したシステムの構成図。
【図３】他の実施形態を示し、排水管洗浄装置を電気的に制御するシステムの構成図。
【符号の説明】
【００２５】
1      シンク
2      水道管
5      ディスポーザ
6      排水管
7      Ｓトラップ
8      誘導管
9      水噴射ノズル
10     ノズル配水管
11     止水栓
12     傾斜底板
13     破砕機構部
14     電磁弁
15     ディスポーザ制御部
16     ディスポーザ駆動モータ
【図１】
2005087921.tif 000003
【図２】
2005087921.tif 000004
【図３】
2005087921.tif 000005